(57)【要約】【課題】  書籍に掲載される広告を補助し、広告の効果を高めることのできるレシート広告発行管理方法及びそのシステムを提供することを提供すること。【解決手段】  書籍６０に広告を掲載している広告主は、自己の管理装置６０ａ〜６０ｎから、書店Ａ〜Ｐの中から指定の書店を選択して、レシート広告を発行することをＷｅｂサーバ１０に対して申し込む。Ｗｅｂサーバ１０は申込を登録して、開示する。書店Ａ〜Ｐによるレシート広告の承諾があると、書籍６０の購入されたときに購入書店の店舗端末６７ａ〜６７ｐからゲートウェイサーバ２０に連絡があり、ゲートウェイサーバ２０は、連絡を受けた書店の店舗端末６７ａ〜６７ｐに対して、レシート広告情報を送信する。レシート広告情報を受信した店舗端末６７ａ〜６７ｐは、レシート等の印刷媒体に当該公告情報を印刷し、当該書籍を購入した顧客に発行する。【選択図】  図１
2006133834.tif 000002
【特許請求の範囲】
【請求項１】
複数の書店の店舗端末と、広告を申し込むための広告申込装置と、広告管理サーバとが通信網を介して接続された広告管理システムのレシート広告発行管理方法であって、
（ａ）  前記広告申込装置から前記広告管理サーバに対してレシート広告の発行を申し込み、指定した書店において指定した書籍が購入されたときに、該書店の前記店舗端末から購入者に対してレシート広告を発行することを依頼する申込工程と、
（ｂ）  前記広告管理サーバにおいて、前記広告申込者の権限認証を行い、権限を有する申込者からの申込を受付けて登録し、前記申込の内容を前記店舗端末に対して前記広告管理サーバ上で公開する申込受付工程と、
（ｃ）  前記広告管理サーバにおいて、前記指定された書店による、前記広告申込に対する受諾または拒絶の設定の登録を受付け、受諾された前記広告申込について指定された書店の店舗端末によるレシート広告の発行のための稼動設定を行う受諾処理工程と、
（ｄ）  前記レシート広告の発行を受諾した前記書店の前記店舗端末において、前記指定した書籍が販売されたときに、販売された書籍情報と店舗情報とを前記広告管理サーバに送信する販売情報送信工程と、
（ｅ）  前記広告管理サーバにおいて、前記書籍情報と前記店舗情報から、該当するレシート広告情報を読み出して、前記店舗端末に送信する広告情報送信工程と、
（ｇ）  前記店舗端末において、前記レシート広告情報を印刷して発行する広告発行工程と、
を備えることを特徴とするレシート広告発行管理方法。
【請求項２】
前記申込受付工程（ｂ）は、所定の書籍に広告を掲載している広告主または所定の書籍の出版社だけに前記申込のためのアクセス権限を付与することを特徴とする請求項１に記載のレシート広告発行管理方法。
【請求項３】
前記申込受付工程（ｂ）は、さらに、前記申込の受付けのときに、要求に応じて、前記複数の書店の位置情報を前記申込端末に送信する工程を備えることを特徴とする請求項１に記載のレシート広告発行管理方法。
【請求項４】
複数の書店の店舗端末と、通信網を介して接続された広告管理サーバとを備える広告管理システムのレシート広告発行方法であって、
（ａ）  購入された書籍の書籍コード及び購入書店の店舗情報を前記店舗端末から前記広告管理サーバに送信する販売情報送信工程と、
（ｂ）  前記広告管理サーバにおいて、前記店舗端末から受信した前記書店の店舗情報から前記購入書店の位置情報を取得し、前記書籍コードから該書籍に掲載されている広告主の情報を取得し、前記購入書店に近い場所に販売拠点またはサービス拠点を有する広告主を抽出する広告主抽出工程と、
（ｃ）  前記抽出した広告主のレシート広告情報を読み出して、前記店舗端末に送信する広告情報送信工程と、
（ｄ）  前記端末において、受信した前記レシート広告情報を印刷装置により出力する広告発行工程と、
を備えることを特徴とするレシート広告発行方法。
【請求項５】
前記広告主抽出工程（ｂ）は、
（b-1）  前記書店の店舗情報に基づいて、複数の書店の位置情報を記憶している店舗位置情報リストから、前記購入書店の位置情報を取得する工程と、
（b-2）  前記書籍情報と前記購入店舗の位置情報に基づいて、書籍ごとの広告主の販売拠点及びサービス拠点の位置情報を記載した広告主位置情報リストから、前記購入書店の広告主を抽出する工程と、
を備えることを特徴とする請求項４に記載のレシート広告発行方法。
【請求項６】
複数の書店の店舗端末と、通信網を介して接続された広告管理サーバとを備える広告管理システムのレシート広告発行方法であって、
（ａ）  購入された書籍の書籍コード及び購入書店の店舗情報を前記店舗端末から前記広告管理サーバに送信する販売情報送信工程と、
（ｂ）  前記広告管理サーバにおいて、前記販売情報を送信した店舗及び前記書籍コードに対応して予め指定されているレシート広告情報を抽出する広告情報抽出工程と、
（ｃ）  前記抽出したレシート広告情報を、前記店舗端末に送信する広告情報送信工程と、
（ｄ）  前記端末において、受信した前記レシート広告情報を印刷装置により出力する広告発行工程と、
を備えることを特徴とするレシート広告発行方法。
【請求項７】
複数の書店の店舗端末と、広告を申し込むための広告申込装置と、広告管理サーバとが通信網を介して接続されたレシート広告発行システムであって  前記広告管理サーバは、
申込権限を有する前記前記広告申込装置からの申込であって、指定した書店において指定した書籍を購入した顧客に対してレシート広告の発行依頼を受付け処理する広告受付処理手段と、
前記指定された書店の店舗端末からの前記レシート広告申込の受諾若しくは拒絶を受け付け、広告申込を受諾された広告について、受諾した店舗において広告を稼動させるための稼動設定を行う広告稼動設定処理手段と、
前記受諾した書店の店舗端末から前記指定された書籍の購入情報、及び書店情報を受信したときに、購入された該書籍の書籍情報及び前記書店情報からレシート広告情報を取得し、顧客情報及び精算情報が前記稼動設定された広告の前記広告条件と一致するかどうかを判定し、合致するときにその会員店舗に対して印刷発行すべき広告情報を送信するレシート広告発行手段と、
を備え、
前記店舗端末は、
前記広告管理サーバと前記通信網を介してデータ通信を行う通信手段と、
購入された書籍が前記指定された書籍か否かを確認して、指定された書籍である場合には、該購入書籍の情報及び購入書店の情報を前記広告管理サーバに送信し、該広告管理サーバから広告情報を取得する広告発行手段と、
前記広告発行手段の取得した前記広告情報をレシートその他の印刷媒体に印刷させる印刷制御手段と、
を備える、
ことを特徴とするレシート広告発行管理システム。
【請求項８】
前記会員広告受付処理手段及び広告稼動設定手段と、前記レシート広告発行手段とは、物理的に異なるサーバにより構成されていることを特徴とする請求項７記載のレシート広告発行管理システム。
【請求項９】
前記広告管理サーバは、さらに、各種書店の位置情報を記憶しており、要求に応じて各種書店の位置情報を提供し、または、所定の住所の書店を検索する書店位置検索手段を備えることを特徴とする請求項７または8に記載のレシート広告発行管理システム。
【発明の詳細な説明】
【技術分野】
【０００１】
本発明は、書籍に掲載されている広告に関するものであり、書店において書籍を購入した顧客に対して、当該書籍の掲載広告に関する顧客誘導効果の高いレシート広告を発行することのできるレシート広告発行管理方法及びそのシステムに関するものである。
【背景技術】
【０００２】
趣味の本、雑誌、地図等の各種書籍、及び新聞等（以下「書籍等」と称する）には、種々の広告が掲載されている。これらの掲載広告の効果は、もっぱら、購入した顧客のできるだけ多数が広告を見ることを意図としているため、書籍等の発行部数、書籍中の広告掲載位置、広告の大きさ、広告デザイン、キャッチコピー、出版者の信用度等に依存するものと考えられている。そのため、広告の効果をより高める工夫は、もっぱら、顧客の目を引くような広告デザイン、色使い、キャッチコピー等により行われているのみで、個別の読者の動態や特徴に着目したシステマティックなアプローチはなされていない。
【０００３】
一方、顧客が商品を購入したときにその顧客に対して広告情報を提供するという観点の先行技術としては、広告主が、複数店舗のＰＯＳシステムを利用して、レシート広告を行うことができるようにしたレシート広告システムが提案されている（特許文献１参照）。
【特許文献１】特開２００２−３７３３７４号公報
【発明の開示】
【発明が解決しようとする課題】
【０００４】
しかし、上述の特許文献１は、広告主の指定する店舗の精算端末装置により発行するレシートに一定の画一的な広告情報を印刷するものであり、書籍等に掲載された広告効果を高めることになんら寄与するものではない。
【０００５】
本発明は、書籍等（趣味の本、雑誌等）に掲載された広告の効果をさらに高めることのできるレシート広告発行管理方法、レシート広告発行方法、及びレシート広告発行管理システムを提供することをその目的とする。
【課題を解決するための手段】
【０００６】
本発明は、書籍に掲載した広告主が、自分の店舗等の近くにある書店を指定してレシート広告を申込み、当該書店がこれを受諾することにより、レシート広告が発行するようにして、書籍に掲載されている広告に対する広告主の店舗の近隣購入者により、広告の存在をさらに認識させることにより、上記課題を達成する。
【０００７】
本発明の第１の態様にかかるレシート広告発行管理方法は、複数の書店の店舗端末と、広告を申し込むための広告申込装置と、広告管理サーバとが通信網を介して接続された広告管理システムのレシート広告発行管理方法であって、（ａ）広告申込装置から広告管理サーバに対してレシート広告の発行を申し込み、指定した書店において指定した書籍が購入されたときに、該書店の店舗端末から購入者に対してレシート広告を発行することを依頼する申込工程と、（ｂ）広告管理サーバにおいて、広告申込者の権限認証を行い、権限を有する申込者からの申込を受付けて登録し、申込の内容を店舗端末に対して広告管理サーバ上で公開する申込受付工程と、（ｃ）広告管理サーバにおいて、指定された書店による、広告申込に対する受諾または拒絶の設定の登録を受付け、受諾された広告申込について指定された書店の店舗端末によるレシート広告の発行のための稼動設定を行う受諾処理工程と、（ｄ）レシート広告の発行を受諾した書店の店舗端末において、指定した書籍が販売されたときに、広告管理サーバに販売された書籍情報と店舗情報とを広告管理サーバに送信する販売情報送信工程と、（ｅ）広告管理サーバにおいて、書籍情報と店舗情報から、該当するレシート広告情報を読み出して、店舗端末に送信する広告情報送信工程と、（ｇ）店舗端末において、レシート広告情報を印刷して発行する広告発行工程とを備えることを特徴とする。
【０００８】
この態様によると、例えば書籍の広告主は、最も広告効果の上がると思われる書店において、自己が広告を掲載している書籍の購入者に対して、レシート広告を発行することを依頼することができる。例えば、広告主の店舗などの販売拠点、サービス拠点の近くの書店での当該書籍の購入者にレシート広告を発行すると、広告効果が大きいと考えられる。或いは当該書籍の購入者が多いと思われる位置にある書店を指定してもよい。
【０００９】
本発明の他の態様にかかるレシート広告発行管理方法は、申込受付工程（ｂ）において、所定の書籍に広告を掲載している広告主または所定の書籍の出版社だけに申込のためのアクセス権限を付与することを特徴とする。広告主等以外に広告を認めることにより、書籍広告をしていない多くの競合店をレシート広告から排除し、書籍広告の価値を高めることが可能となる。
【００１０】
本発明の他の態様にかかるレシート広告発行管理方法は申込受付工程（ｂ）が、さらに、申込の受付けのときに、要求に応じて、複数の書店の位置情報を申込端末に送信する工程を備えることを特徴とする。これにより、広告主は、自己の販売拠点、サービス拠点に近い書店を選択することが容易となる。
【００１１】
本発明の第１の態様にかかるレシート広告発行方法は、複数の書店の店舗端末と、通信網を介して接続された広告管理サーバとを備える広告管理システムのレシート広告発行方法であって、（ａ）購入された書籍の書籍コード及び購入書店の店舗情報を店舗端末から広告管理サーバに送信する販売情報送信工程と、（ｂ）広告管理サーバにおいて、店舗端末から受信した書店の店舗情報から購入書店の位置情報を取得し、書籍コードから該書籍に掲載されている広告主の位置情報を取得し、購入書店に近い場所に販売拠点またはサービス拠点を有する広告主を抽出する広告主抽出工程と、（ｃ）抽出した隣接広告主のレシート広告情報を読み出して、店舗端末に送信する広告情報送信工程と、（ｄ）端末において、受信したレシート広告情報を印刷装置により出力する広告発行工程と、を備えることを特徴とする。
【００１２】
この態様では、事前に広告の申込を受付けるのではなく、広告管理サーバ上に書籍広告主及び書店の位置情報、さらに広告ごとのレシート広告情報を登録しておき、書店からの書籍購入情報に基づいて、近隣の広告主の販売拠点またはサービス拠点を検索し、検索結果に基づいて購入書店に隣接する広告主のレシート広告を発行するものである。  本発明の他の態様にかかるレシート広告発行管理方法は、工程（ｂ）が、（b-1）書店の店舗情報に基づいて、複数の書店の位置情報を記憶している店舗位置情報リストから、購入書店の位置情報を取得する工程と、（b-2）書籍情報と購入店舗の位置情報に基づいて、書籍ごとの広告主の販売拠点またはサービス拠点の位置情報を記載した広告主位置情報リストから、購入書店の隣接広告主の販売拠点またはサービス拠点を抽出する工程とを備えることを特徴とする。書店の位置情報、書籍ごとの広告主の販売拠点またはサービス拠点位置情報を記憶しておき、購入書店情報、書籍情報から、当該購入書籍の近隣広告主の販売拠点またはサービス拠点を検索し、抽出する。
【００１３】
本発明の他の態様にかかるレシート広告発行管理方法は、複数の書店の店舗端末と、通信網を介して接続された広告管理サーバとを備える広告管理システムのレシート広告発行方法であって、（ａ）購入された書籍の書籍コード及び購入書店の店舗情報を店舗端末から広告管理サーバに送信する販売情報送信工程と、（ｂ）広告管理サーバにおいて、販売情報を送信した店舗及び書籍コードに対応して予め指定されているレシート広告情報を抽出する広告情報抽出工程と、（ｃ）抽出したレシート広告情報を、店舗端末に送信する広告情報送信工程と、（ｄ）端末において、受信したレシート広告情報を印刷装置により出力する広告発行工程を備えることを特徴とする。この態様では、立地条件等から判断して、広告を掲載した書籍の購入者が多いと思われる書店を広告主が予め指定しておき、当該書店から販売情報が送信されたときに、レシート広告を発行する。
【００１４】
本発明の第１の態様にかかるレシート広告発行管理システムは、複数の書店の店舗端末と、広告を申し込むための広告申込装置と、広告管理サーバとが通信網を介して接続されたレシート広告発行システムであって、広告管理サーバは、申込権限を有する広告申込装置からの申込であって、指定した書店において指定した書籍を購入した顧客に対してレシート広告の発行依頼を受付け処理する広告受付処理手段と、指定された書店の店舗端末からのレシート広告申込の受諾若しくは拒絶を受け付け、広告申込を受諾された広告について、受諾した店舗において広告を稼動させるための稼動設定を行う広告稼動設定処理手段と、受諾した書店の店舗端末から指定された書籍の購入情報、及び書店情報を受信したときに、購入された該書籍の書籍情報及び書店情報からレシート広告情報を取得し、顧客情報及び精算情報が稼動設定された広告の広告条件と一致するかどうかを判定し、合致するときにその会員店舗に対して印刷発行すべき広告情報を送信するレシート広告発行手段とを備え、店舗端末は、広告管理サーバと通信網を介してデータ通信を行う通信手段と、購入された書籍が指定された書籍か否かを確認して、指定された書籍である場合には、該購入書籍の情報及び購入書店の情報を広告管理サーバに送信し、該広告管理サーバから広告情報を取得する広告発行手段と、広告発行手段の取得した広告情報をレシートその他の印刷媒体に印刷させる印刷制御手段とを備えることを特徴とする。
【００１５】
本発明の他の態様にかかるレシート広告発行管理システムは、会員広告受付処理手段及び広告稼動設定手段と、レシート広告発行手段とは、物理的に異なるサーバにより構成されていることを特徴とする。
【００１６】
本発明の他の態様にかかるレシート広告発行管理システムは、  広告管理サーバは、さらに、各種書店の位置情報を記憶しており、要求に応じて各種書店の位置情報を提供し、または、所定の住所の近隣書店を検索する書店位置検索手段を備えることを特徴とする。
【発明の効果】
【００１７】
本発明によると、書籍への広告掲載者（広告主または出版社）が、特定の書店を指定してレシート広告を申込み、当該書店がこれを受諾することにより、レシート広告が発行される。レシート広告は、広告を掲載している書籍の購入者に対してスポット的に発行される。このシステムにより、広告主の販売拠点またはサービス提供拠点近くの書店を指定すると、当該書籍購入した顧客に対して、書店に近い広告主のレシート広告を発行することが可能となる。これにより、書籍購入者に近隣に広告店舗が存在することを明確に認識させることができる。また、立地条件等から判断して、広告を掲載した書籍の購入者が多いと思われる書店を広告主が予め指定しておき、当該書店から販売情報が送信されたときに、レシート広告を発行する構成とすることにより、レシート広告を通じて、書籍内に掲載した広告の効率を高めることが可能となる。
【００１８】
これは、書籍との関連から、もともと広告商品・サービスに対する関心度の高い顧客に対して、近隣の広告情報を提供するのであるから、顧客の訪問率が飛躍的に向上することを期待できることを意味する。例えば、グルメ雑誌やバイクの本を購入した人が、近くに穴場的なレストランがあること、または小さいが個性的なバイクの店があることを知れば、強い興味を持つものと考えられる。これからも、本システムの顧客誘引効果が大きいことを示すことができる。さらに、レシート広告の内容により、割引、専門性等のその店舗のもつ利点を顧客に強くアピールすることにより、より強い誘引効果を期待できる。これは、読者が本を読んで、偶然広告を見つけることと比較すると、格段に高い認知力を提供するものであり、高い広告効果が期待できる。また、地域競合店の広告は、早く申し込んだものを優先させる等の規則を設けることにより、広告の掲載を誘引する効果もある。
【発明を実施するための最良の形態】
【００１９】
図面を用いて本発明の最良の実施形態を説明する。図１及び図２に本発明の一実施形態にかかるレシート広告発行管理システムの概略構成を示す。図１と図２は、同じシステム構成例を示しているが、図１のシステム構成例１Ａは、広告主の広告申込装置６０ａ〜６０ｎからの要求に基づくレシート広告の申込と、書店の承諾（広告稼動設定）を行うウェブサーバ１０の構成例を詳細に示している。
【００２０】
広告主とは書籍に広告を掲載している者であり、書籍ごとに複数の広告主が存在する。図１では、３種類の書籍６０〜６２の広告主を例示しており、破線の楕円形が１つの書籍に広告を載せている広告主の集合を示している。本明細書では、便宜的に書籍６０に広告を載せている広告主Ａ〜Ｎを中心に説明するが、これは他の書籍であっても同じである。
【００２１】
これに対し、図２のシステム構成１Ｂは、レシート広告の稼動設定完了後における、書店の店舗端末６７ａ〜６７ｐからの購入書籍情報及び顧客情報等に基づき、購入した書籍と、書店に関連するレシート広告情報を書店の店舗端末６７ａ〜６７ｐに送信するゲートウェイサーバ２０の構成例を詳細に示している。
【００２２】
尚、図１及び図２に示すＷｅｂサーバ１０とゲートウェイサーバ２０の双方で、本発明の「広告管理サーバ」を構成している、これらは、同一のサーバであっても、物理的に別々のサーバであっても良い。本明細書では、両者を分離して構成した例を示している。
【００２３】
また、図中、ネットワーク６５，６６は、インターネット、公衆通信網、専用回線（ＶＰＮ等の擬似的なものを含む）、電話回線網等を含むどのような通信網であってもよい。さらに、ネットワーク６５及び６６は、同一のものであってもよい。この場合、Ｗｅｂサーバ１０とゲートウェイサーバ２０は同一ネットワークに接続されることとなる。また、ウェブサーバ１０に直接ゲートウェイサーバ２０が接続されて、Ｗｅｂサーバ１０のバックエンドで所定の処理をする構成としてもよい。さらに、複数のゲートウェイサーバ２０により、各書店の店舗端末６７ａ〜６７ｐを分割して受け持ち、分散処理するような構成としてもよい。ここで、店舗端末装置は、ＰＯＳ端末のような精算端末装置により構成することができる。
【００２４】
＜１．レシート広告の申し込みと稼動設定＞
本システムでは、書籍６０〜６２の広告主が、それぞれ広告を掲載している書籍６０〜６２及び、広告の発行を希望する書店を指定して、Ｗｅｂサーバ１０に対してレシート広告を申し込む。図１では、書籍６０の広告主A〜Nの広告申込装置６０ａ〜６０ｎを示している。広告主A〜Nは、広告申込装置６０ａ〜６０ｎを用いて、レシート広告を申し込む。その際、広告主は、自己の商品販売店(販売拠点)、またはサービス提供店(サービス拠点)に近い書店をレシート広告の発行店として指定する。或いは当該書籍の購入者が多いと思われる位置にある書店を指定してもよい。
【００２５】
以下の説明においては、特に広告主または指定された書店であることを明確にする必要がない限り、広告を依頼する広告申込装置を単に「広告申込装置」と称し、広告を依頼された書店（広告主からレシート広告の申し込み時に指定された書店）の店舗端末を「店舗端末」と称する。
【００２６】
広告申込装置６０ａ〜６０ｎとＷｅｂサーバ１０は、通信網６５により接続されており、広告主による広告等の申込、及び指定された書店によるレシート広告の受諾は、広告申込装置６０ａ〜６０ｎから通信網６５を介してＷｅｂサーバ１０をアクセスすることにより行う。広告申込装置６０ａ〜６０ｎは、特殊なものである必要はなく、通信網６５に接続されており、Ｗｅｂサーバ１０にアクセスすることができるコンピュータであればよい。書店の店舗端末６７ａ〜６７ｐには、申込の受諾しまたは拒絶するため処理を行う管理装置としての機能と、購入書籍の精算処理時にレシート広告を印刷する精算端末としての機能の２種類がある。これら２つの機能は、それぞれ別々の装置が備えていても良いが、双方の機能を１台の装置が備えていてもよい。本明細書では、１台の店舗端末が双方の機能を備えるものとして説明する。
【００２７】
Ｗｅｂサーバ１０は、通信制御手段１１、サーバの制御手段１２、Ｗｅｂページ制御手段１３、広告受付処理手段１４、広告稼動設定手段１５、書店位置検索手段１６、及び管理データベース１７を備えている。通信制御手段１１には、ファイアウォール等、インタネットセキュリティ上の各種機能を備えることが好ましい。Ｗｅｂページ管理手段１３は、広告受付画面、稼動設定受付画面等の制御を行う。広告受付処理手段１４は、レシート広告を依頼する広告主の広告申込装置からの申し込みを受付けるための処理を実行する。広告稼動設定手段１５は、レシート広告を依頼された書店からの稼動設定の可否の入力を受け付け、稼動設定の登録処理または稼動否定の登録処理を実行する。
【００２８】
書店位置情報報検索手段１６は、広告主が書店を指定するときに、書店の所在地情報を提供する。書店の所在地は、管理データベース１７に記憶されており、要求に応じて書店一覧や、住所データ、や地図情報を提供する。管理データベース１７は、また、稼動設定された広告等の稼動条件、稼動設定されている書店、レシート広告発行履歴等の各種データを記憶する。
【００２９】
Ｗｅｂサーバ１０は、通信網６６を介してゲートウェイサーバ２０に接続されており、通信網６６には、さらに、書店の集合６７の各精算端末６２ａ〜６２ｎに接続されている。稼動設定された広告等は、速やかにゲートウェイサーバ２０に転送される。ゲートウェイサーバ２０については、図２を用いて、後ほど説明する。
【００３０】
図３乃至図５に、Ｗｅｂサーバ１０によるレシート広告の申込及び稼動設定の処理手順の例を示す。Ｗｅｂサーバ１０の設定登録処理には、図３に示すように、申込受付処理（S１００）と稼動設定処理（S１１０）とがある。レシート広告等を希望する広告主からの申し込みがあると、広告受付処理手段１４は申込の受付処理を行う（Ｓ１００）。広告等の申し込みにおいて広告主は、広告等の印刷を依頼する書店（発行書店）を指定する。書店の指定がないと、すべての書店を指定したことになる。申し込みの受付処理が終了すると、申込があったことがＷｅｂサーバ１０上に開示される。これに基づき、広告依頼を受けた書店は、広告依頼を受諾するかどうかを設定する。発行店舗からの広告依頼に対する承諾があると、稼動設定処理が行われる（Ｓ１１０）。
【００３１】
＜１−１  レシート広告の申込の受付処理＞
レシート広告の申し込みは、広告主が広告申込装置６０ａ〜６０ｎから、Ｗｅｂサーバ１０にアクセスして行う。書籍の出版社６８または、本システムの運営管理者が広告主の依頼に基づいて申込を行ってもよい。申込には、以下に例示するような事項を指定する。
（１）広告主を特定する情報（ＩＤ番号等）、レシート発行を希望する書店、配布枚数、及び広告期間などの配布条件
（２）レシート広告の印刷内容、図柄等の広告デザイン
さらに、
（３）自店舗に勧誘したい年齢層、性別などの対象顧客条件や、配布時間帯を指定できるようにすることも可能である。
【００３２】
申し込みがあると、Ｗｅｂサーバ１０の広告受付処理手段１４は、広告等にＩＤ番号を付し、各種広告条件を登録する。図４は、図３の処理工程Ｓ１００の広告申込処理手順の一例を示すフローチャートである。この処理は、Ｗｅｂサーバ１０内の広告受付処理手段１４及び書店位置検索手段１６により実行される。広告申込装置６０ａ〜６０ｎのいずれかからレシート広告の申し込みがあり、ＩＤ番号の照合等による所定の認証が完了すると（Ｓ１０１；Ｙｅｓ）、ログインが認められる。書店情報の要求があると（Ｓ１０２；Ｙｅｓ）、書店の所在地情報を読み出して、要求のあった広告申込装置６０ａ〜６０ｎに送信する（Ｓ１０３）。送信（Ｓ１０３）後、または書店情報の要求がない場合には（Ｓ１０２；Ｎｏ）、上述（１）から（３）として例示した広告条件の指定を受付ける（Ｓ１０４）。広告条件の指定が終了すると（Ｓ１０４；Ｙｅｓ）、入力された広告条件等を広告ＩＤ番号、広告店舗情報とともに管理データベース２７に登録し（Ｓ１０６）、Ｗｅｂページ上に公開し（Ｓ１０７）終了する。
【００３３】
＜１−２  稼動設定処理＞
次に、レシート広告を希望する書店として指定された書店により、レシート広告依頼を受諾するかどうかの設定（稼動設定）が行われる（図３のＳ１１０）。レシート広告を受諾し又は拒絶するためのＷｅｂサーバ１０へのアクセスは、書店の店舗端末６７ａ〜６７ｐの管理端末機能に基づいて行われる。書店のこの手続きも、出版社または本システム運営管理者に委託することができる。図５に、Ｗｅｂサーバ１０における稼動設定処理の一例（Ｓ１１０）を示す。この処理は、広告稼動設定手段１５により行われる。
【００３４】
指定された書店の店舗端末６７ａ〜６７ｐから、レシート広告の受諾又は拒絶のためのアクセス要求があり、所定のＩＤ等が入力されるとＷｅｂサーバ１０へのログインが認められる（Ｓ１１１；Ｙｅｓ）。ログインすると、広告稼動設定手段１５は、当該書店に対するレシート広告依頼の広告一覧リストを読み出し、広告ＩＤ番号及び広告条件情報、広告デザインとともに、当該ログインした店舗端末６７ａ〜６７ｐに送信する（Ｓ１１２）。
【００３５】
広告一覧リストを受信した店舗端末６７ａ〜６７ｐでは、受信した当該一覧リストが、広告ＩＤ番号及び広告条件、広告デザインとともに表示され、書店の管理担当者により確認される。管理担当者は、広告条件、広告デザインを確認した後、レシート広告を受諾するかどうかを決定し、認否情報をＷｅｂサーバ１０に送信する。
【００３６】
Ｗｅｂサーバ１０が、管理担当者による認否情報を受信すると（Ｓ１１３）、広告一覧リストについての認否が終了したかどうかが確認され（Ｓ１１４）、認否が終了するまで認否処理が継続される（Ｓ１１４；Ｎｏ）。認否情報を受信すると（Ｓ１１４；Ｙｅｓ））、承諾のあった広告等について稼動設定の登録をする（Ｓ１１５）。稼動設定された広告等のレシート広告情報（広告ＩＤ番号、広告条件等）は、その後速やかにゲートウェイサーバ２０に転送される（Ｓ１１７）。
【００３７】
これらの広告情報をゲートウェイサーバ２０に転送するのは、実際の稼動に当たり、広告等の発行条件の判定をＷｅｂサーバ１０に行わせると、Ｗｅｂサーバ１０にアクセスが集中し、負荷が増えて処理速度の低下等が懸念されるからであり、これらの点が問題なければ、ゲートウェイサーバ２０の機能を全てＷｅｂサーバ１０に持たせるように構成しても良い。店舗端末６７ａ〜６７ｐでは、受信した書籍情報に基づいて、書籍の精算処理の際に稼動設定された書籍かどうかを確認する。
【００３８】
なお、上記稼動設定処理は、特殊な端末である必要はなく、通信網６５に接続されており、Ｗｅｂサーバ１０にアクセスすることができるコンピュータであればよい。汎用ＰＣなど店舗端末６７ａ〜６７ｐとは別の端末を利用することも可能である。
【００３９】
＜２．レシート広告の発行＞
次に書店におけるレシート広告の発行処理について説明する。レシート広告の発行は、各書店の店舗端末（精算端末）６７ａ〜６７ｐとゲートウェイサーバ２０により行われる。図２にその店舗端末（精算端末）６７ａ〜６７ｐとゲートウェイサーバ２０との接続形態及びゲートウェイサーバ２０の概略構成を例示している。
【００４０】
＜２−１  ゲートウェイサーバの構成例＞
ゲートウェイサーバ２０は、通信制御手段２１、制御手段２２、広告情報検索手段２３、レシート広告発行手段２４、広告実績集計手段２５、及び広告データベース２６を備えている。
【００４１】
広告情報検索手段２３は、書店の集合６７の店舗端末（精算端末）６７ａ〜６７ｐから顧客情報等を受信したときに、稼動条件設定されたレシート広告が存在するかどうか、またそれが所定の広告条件を満たすかどうかを判定する。対応するレシート広告が存在する場合には、広告発行手段２４が対応するレシート広告の内容（広告情報）を広告データベース２６から読み出し、当該広告情報をその書店に送信する。広告実績集計手段２５は、レシート広告の発行履歴を記録するほか、データの集計を行う。広告データベース２６は、広告条件、広告履歴データ、広告集計データ等を検索可能に記憶する。
【００４２】
＜２−２  精算端末の構成例及びその精算処理＞
図６に店舗端末６７ａ〜６７ｐの一実施形態にかかる機能ブロック図を例示する。図６では、店舗端末６７ａの精算端末機能（広告発行機能を含む）のみを示し、管理機能については、示していない。店舗端末６７ａは、例えば、ＰＯＳ端末装置７０単体、または複数のＰＯＳ端末装置７０を管理するＰＯＳサーバ８０を備えている。ＰＯＳ端末７０は、ＰＯＳサーバ８０を備えていない単独の精算装置であってもよく、また、ＰＯＳ機能を備えていない精算レジスタであってもよい。ただし、外部通信網６６に接続されて、データ通信を行う機能を有していることが及びレシートプリンタ等のプリンタ８５を備えていることが必要である。また、バーコードスキャナ８６、を備えていることが望ましい。
【００４３】
ＰＯＳ端末装置７０は、ＰＯＳサーバ８０とデータ通信を行う内部通信手段７２、購入商品の精算処理を行う精算処理手段７３、スキャナ制御手段７４、印刷制御手段７５、ゲートウェイサーバ２０から受信した広告情報に基づき広告を印刷する広告発行手段７６、ゲートウェイサーバ２０とデータ通信を行う外部通信手段７７、及びバーコードスキャナ８６とプリンタ８５とのデータの送受信を行う周辺機器通信手段７８とを備えている。
【００４４】
購入希望書籍を提示すると、バーコードスキャナ８６により書籍コードを読み取られる。精算処理手段７３は、読み取った書籍コードに基づいて書籍価格や書籍データをＰＯＳサーバ８０から取得して、精算処理を行う。
【００４５】
図７に店舗端末のレシート広告発行処理手順の一例（Ｓ３００）を示す。図６及び図７を用いてレシート広告の発行処理の一例を説明する。書籍コードは、広告発行手段７６にも送信され、内部記憶しているレシート広告の対象となっている書籍か否かが検証される。購入された書籍がある場合には（Ｓ３０１；Ｙｅｓ）、広告発行手段７６は、ゲートウェイサーバ２０に対してアクセス要求をし（Ｓ３０２）、書籍情報、書店情報、広告条件に対応する情報を、外部通信手段７７を通じてゲートウェイサーバ２０に送信する（Ｓ３０３）。
【００４６】
ゲートウェイサーバ２０からレシート広告情報を受信すると（Ｓ３０４）、広告発行手段７６はレシート広告情報を印刷制御手段７５に送信する。印刷制御手段７５は、受信した広告情報をプリンタ８５によりレシートその他の印刷媒体９０等に印刷する（Ｓ３０５）。レシート広告情報は、レート上の精算情報と一緒に印刷することも、レシートとは別のプリンタで印刷して発行することも可能である。広告の内容としては、例えば、特売、割引情報などのイベント情報、割引クーポン、商品引き換えクーポン、新商品（新メニュー）の紹介、専門性、品揃え、他店との差別化情報などを印刷可能である。
【００４７】
尚、レシート広告情報にイメージ情報を含む場合には、データ通信に時間がかかるので、予めゲートウェイサーバ２０から店舗端末６７ａ〜６７ｐに対してイメージデータを転送して、ＰＯＳ端末装置７０内に記憶しておくように構成することも可能である。また、ゲートウェイサーバ２０とＰＯＳ端末７０が直接データ通信を行うのではなく、ＰＯＳサーバ８０を介してデータ通信するように構成することも可能である。さらに、店舗端末、あるいはＰＯＳサーバに、ゲートウェイサーバ２０の機能を組み込むことも可能である。
【００４８】
＜２−３  ゲートウェイサーバによる広告発行処理手順＞
図８にゲートウェイサーバ２０の広告発行の基本処理手順の一例を示す。指定された店舗端末６７ａ〜６７ｐからの書籍購入情報に基づく広告発行処理（Ｓ２００）、及び広告履歴の集計処理（Ｓ２１０）が基本的な処理内容である。
【００４９】
＜２−３−１  広告発行処理手順＞
図９は、ゲートウェイサーバ２０の広告発行処理（Ｓ２００）の処理手順の一例を示すフローチャートである。精算端末６２ａ〜６２ｎのいずれかから接続要求があると（Ｓ２０１：Ｙｅｓ）、接続を受付けて、広告情報検索手段２３は購入された書籍の書籍コード、書店番号、その他の広告条件情報等を受信する（Ｓ２０２）。次に、受信した書籍情報、書店情報、広告条件に基づいて、これらの条件に合致するレシート広告情報を検索して取得する（Ｓ２０３）。対応するレシート広告情報を取得すると、書籍情報を送信した店舗端末６７ａ〜６７ｐに対して当該情報を送信する（Ｓ２０４）とともに、来歴データを広告実績集計のためＷｅｂサーバ１０へ送信する。
【００５０】
＜２−３−２  広告実績の集計処理＞
広告実績集計手段２５は、どの書店でどの程度のレシート広告を発行したかどうかを定期的に集計する。店舗、書籍ごとの分析レポートを出力するように構成してもよい。これらの広告実績は、書店に支払う所定の手数料の基本資料となるほか、出版社が書籍への広告を勧誘する際のデータともなる。また、広告主、出版社の広告効果の分析資料となり、よりよい広告を行う重要な資料となる。広告発行実績に基づいて、広告主に対する広告料金の課金を変動させるような構成とすることも可能である。集計に基づいて、書店に所定の手数料を支払うことにより書店にレシート広告の受諾意欲を付与することが可能となる。このような手数料等の集計は、周知の従来技術を用いて、ゲートウェイサーバ２０又はＷｅｂサーバ１０で行うことができる。
【００５１】
＜他の実施形態＞
上述の実施形態では、Ｗｅｂサーバ１０上で広告主等がレシート広告を申込み、書店が受諾する構成を示した。しかし、事前に、近隣の広告主を登録しておくのではなく、商品の精算時に、当該購入書籍の近隣の広告主を検索して、レシート広告情報を発行するようなシステム構成とすることも可能である。このようなシステムは、広告管理サーバのデータベース上に、書籍ごとの広告主リスト、広告主の販売拠点及びサービス拠点の位置情報、レシート広告を受諾している書店の位置情報、広告主ごとのレシート広告情報等を登録しておき、店舗端末６７ａ〜６７ｐからの購入書籍情報及び書店情報に基づいて、購入書店に隣接する当該書籍の広告主のレシート情報を検索して、店舗端末６７ａ〜６７ｐに送信することにより、実現可能となる。
【図面の簡単な説明】
【００５２】
【図１】本発明の一実施形態にかかる広告管理システムの概略構成を、Ｗｅｂサーバの構成を中心に示す図である。
【図２】本発明の一実施形態にかかる図１と同様の広告管理システムの概略構成を、ゲートウェイサーバの構成を中心に示す図である。
【図３】発行店舗により広告等を発行する前提となるＷｅｂサーバによる広告の設定登録の基本的な処理手順を示すフローチャートである。
【図４】Ｗｅｂサーバによる広告申込処理手順の一例を示すフローチャートである。
【図５】Ｗｅｂサーバによる稼動設定処理の一例を示すフローチャートである。
【図６】店舗端末の一実施形態にかかる機能ブロック図である。
【図７】店舗端末のレシート広告発行処理手順の一例を示すフローチャートである。
【図８】ゲートウェイサーバの基本処理手順の一例を示すフローチャートである。
【図９】ゲートウェイサーバの広告発行処理の処理手順の一例を示すフローチャートである。
【符号の説明】
【００５３】
１Ａ、１Ｂ  広告管理システム            １０  Ｗｅｂサーバ
１１  通信手段                          １２  Ｗｅｂサーバの制御手段
１３  Ｗｅｂページ管理手段              １４  広告受付処理手段
１５  広告稼動設定手段                  １６  書店位置検索手段
１７  管理データベース                  ２０  ゲートウェイサーバ
２１  ゲートウェイの通信制御手段        ２２  ゲートウェイサーバの制御手段
２３  広告情報検索手段                  ２４  レシート広告発行手段
２５  広告実績集計手段                  ２６  広告データベース
６０〜６２  書籍ごとの広告主の集合体    ６０ａ〜６０ｎ  広告申込装置
６５、６６  通信ネットワーク            ６７  書店の集合
６７ａ〜６７ｐ  書店の店舗端末          ６８  出版会社の広告申込装置
７０  ＰＯＳ端末装置                    ８０  ＰＯＳサーバ
８５  プリンタ                          ８６  バーコードスキャナ
９０  レシート広告印刷物
【図１】
2006133834.tif 000003
【図２】
2006133834.tif 000004
【図３】
2006133834.tif 000005
【図４】
2006133834.tif 000006
【図５】
2006133834.tif 000007
【図６】
2006133834.tif 000008
【図７】
2006133834.tif 000009
【図８】
2006133834.tif 000010
【図９】
2006133834.tif 000011